(57)【要約】      （修正有）【課題】業務用ゲーム機のランプボックスの提供。【解決手段】所定側面厚さを具えた箱体１０とカバーフレーム２０が共同でランプボックス主体部を形成し、カバーフレーム２０にパネルが組付けられ、上述のランプボックスの箱体とカバーフレームの間に透光材料で形成された反射フレームが組付けられ、並びに反射フレームは組付けられた後に箱体とパネルの間に画定されて、ランプボックス外表面に露出しゲーム機所在位置の異なる側から見える透光外周リムを形成する。こうして形成されたランプボックスはこのようなゲーム機の光装飾効果を高め、ゲームセンター内の異なる方向の消費者の注意力を引くことができる。【選択図】図２
0003110035.tif 000002
【実用新案登録請求の範囲】
【請求項１】
業務用ゲーム機のランプボックスにおいて、所定側面厚さを具えた箱体とカバーフレームが共同でランプボックス主体部を形成し、上述のカバーフレームにパネルが組付けられ、上述のランプボックスの箱体とカバーフレームの間に透光材料で形成された反射フレームが組付けられ、並びに反射フレームは組付けられた後に箱体とパネルの間に画定されて、ランプボックス外表面に露出しゲーム機所在位置の異なる側から見える透光外周リムを形成することを特徴とする、業務用ゲーム機のランプボックス。
【請求項２】
請求項１記載の業務用ゲーム機のランプボックスにおいて、ランプボックスの箱体とカバーフレームに対応する貫通孔とパイルが設けられ、反射フレームの該貫通孔とパイルに対応しその間に位置する連接スリーブが設けられたことを特徴とする、業務用ゲーム機のランプボックス。
【考案の詳細な説明】
【技術分野】
【０００１】
本考案は一種の業務用ゲーム機のランプボックスに係り、特に、ゲーム機のランプボックスの光装飾機能を増した設計に関する。
【背景技術】
【０００２】
現在ゲーム機には各種の異なる形式があり、全世界の異なる形態の娯楽場で流通している。近年、管理と税収アップのあめに各地の政府によりゲーム機が合法化される傾向にある。
【０００３】
既存のこのようなゲーム機の特性は不断に新ゲームを設計する必要があることで、そうでなければ消費者がゲームに対する興味を失ってしまう。このため一般にゲーム機メーカーは市場に合わせて新機種及び新ゲーム方式の開発を行なっている。
【０００４】
ゲーム方式の違いのほか、ゲーム機自身の構造及び外形視覚効果も設置後に消費者の興味を引くか引かないかの主要な原因の一つである。これにより、一般にこのようなゲーム機は外観設計上、豊富な光造形の特性を有する。ゲーム機において光効果を形成する装置には、ランプボックスのような設備があり、それはゲーム機運転時に各種の異なる色の照明或いは点滅照明を提供する。
【０００５】
ただし既存のゲーム機の構造のほとんどは、ランプボックス内部に光源が設けられ、光源がランプボックスのパネルに反射されるものとされる。光源の直接照明或いは各種の異なる点滅方式の制御により、必要な光効果が形成される。周知のこのようなゲーム機のランプボックスのほとんどはランプボックスのパネルより直接照射され、則ち正面で光機能を発生するだけであり、消費者が正面以外或いは斜めに位置すると、このような光の効果は見えにくくなり、その装飾効果が不足する。
【考案の開示】
【考案が解決しようとする課題】
【０００６】
本考案の主要な目的は、一種の業務用ゲーム機のランプボックスを提供することにあり、それは、このようなゲーム機の光装飾効果を増し、場内の異なる方向の消費者の注意を引けるようにしたものとする。
【０００７】
本考案の業務用ゲーム機のランプボックスは、所定側面厚さを具えた箱体とカバーフレームが共同でランプボックス主体部を形成し、上述のカバーフレームにパネルが組付けられ、上述のランプボックスの箱体とカバーフレームの間に透光材料で形成された反射フレームが組付けられ、並びに反射フレームは組付けられた後に箱体とパネルの間に画定されて、ランプボックス外表面に露出しゲーム機所在位置の異なる側から見える透光外周リムを形成する。こうして形成されたランプボックスはこのようなゲーム機の光装飾効果を高め、ゲームセンター内の異なる方向の消費者の注意力を引くことができる。
【０００８】
好ましい実施例において、ランプボックスの箱体とカバーフレームに対応する貫通孔とパイルが設けられ、該反射フレームに該貫通孔とパイルに対応する連接スリーブが設けられている。
【課題を解決するための手段】
【０００９】
請求項１の考案は、業務用ゲーム機のランプボックスにおいて、所定側面厚さを具えた箱体とカバーフレームが共同でランプボックス主体部を形成し、上述のカバーフレームにパネルが組付けられ、上述のランプボックスの箱体とカバーフレームの間に透光材料で形成された反射フレームが組付けられ、並びに反射フレームは組付けられた後に箱体とパネルの間に画定されて、ランプボックス外表面に露出しゲーム機所在位置の異なる側から見える透光外周リムを形成することを特徴とする、業務用ゲーム機のランプボックスとしている。
請求項２の考案は、請求項１記載の業務用ゲーム機のランプボックスにおいて、ランプボックスの箱体とカバーフレームに対応する貫通孔とパイルが設けられ、反射フレームの該貫通孔とパイルに対応しその間に位置する連接スリーブが設けられたことを特徴とする、業務用ゲーム機のランプボックスとしている。
【考案の効果】
【００１０】
本考案の業務用ゲーム機のランプボックスは、このようなゲーム機の光装飾効果を増し、場内の異なる方向の消費者の注意を引けるようにしている。
【考案を実施するための最良の形態】
【００１１】
図１に示されるように、本考案の実施例によると、特定側面厚さを有する箱体１０と、通常不透光材料で形成されたカバーフレーム２０が共同でランプボックスを構成する。そのうち、上述のカバーフレーム２０には透光パネル（図示せず）が組付けられる。
【００１２】
上述の箱体１０内部に光源１１と関係光部品が設けられ、上述の箱体１０及びカバーフレーム２０が組み合わされた後、光源１１の発生する光が透光パネルを通して現出されるが、従来のこのような装置の欠点は、正面透光のみ可能であることである。
【００１３】
図１から図３に示されるように、本考案は上述の箱体１０とカバーフレーム２０の間に反射フレーム３０が介装され、該反射フレーム３０は透光材料で形成されるのがよく、並びにそれが組付けられた後、箱体１０とカバーフレーム２０の間に画定され、箱体１０外表面に露出しゲーム機の所在位置の側方から見える外周リムを形成する。
【００１４】
上述の実施例は環形ランプボックスに使用されているが、このようなゲーム機のランプボックスは各種の異なる造形とされうる。
【００１５】
図２、３及び図４に示される実施例では、本考案の反射フレーム３０は上述の箱体１０とカバーフレーム２０において相互に固定するために設けられた貫通孔１２とパイル２１の間に介在する連接スリーブ３１を具え、上述の箱体１０、カバーフレーム２０及び反射フレーム３０が位置を合わせて組み合わされた後、ボルト１３で固定される。
【００１６】
本考案は組立完成後、全体のランプボックスの外側中央位置近くに露出し周辺が透光の反射フレーム３０が設けられ、箱体１０内部の光源が照明或いは点滅を発生する時、透光材料で形成された反射フレーム３０全体の周辺に一致する同期発行機能が形成され、これにより消費者がゲーム機正面から注意を引かれるだけでなく、その他の異なる側方位置からもその発生する光効果を感じることができる。
【００１７】
本考案はこのようなゲーム機のランプボックスの発光機能を、各種の異なる方向の消費者の注意力を引くものとし、その光装飾効果を向上し、産業上の利用価値を有している。
【００１８】
以上の実施例は本考案の範囲を限定するものではなく、上述の実施例及び図面の記載に基づきなしうる細部の修飾或いは改変は、いずれも本考案の請求範囲に属するものとする。
【図面の簡単な説明】
【００１９】
【図１】本考案の好ましい実施例の立体図である。
【図２】図１の装置分解図である。
【図３】図１の断面図である。
【図４】図３の局部拡大断面図である。
【符号の説明】
【００２０】
１０  箱体
１１  光源
１２  貫通孔
１３  ボルト
２０  カバーフレーム
２１  パイル
３０  反射フレーム
３１  連接スリーブ
【図１】
0003110035.tif 000003
【図２】
0003110035.tif 000004
【図３】
0003110035.tif 000005
【図４】
0003110035.tif 000006